【事件の表示】
　特許第３１０７３７４号「引き戸のはね返り防止装置」の請求項１に係る特許に対する特許異議の申立てについて、次のとおり決定する。
【結　論】
　特許第３１０７３７４号の請求項１に係る特許を取り消す。
【理　由】
１．手続の経緯
　本件特許第３１０７３７４号に係る出願は、平成９年１１月２５日の出願であって、平成１２年９月８日に特許権の設定登録がなされ、その後、三協アルミニウム工業株式会社から特許異議の申立がなされて、取消理由通知が通知され、その指定期間内である平成１３年１１月１３日に訂正請求がなされた後、訂正拒絶理由通知が通知され、それに対して、平成１４年３月５日付けで手続補正書が提出されたものである。
　
２．訂正請求に対する補正の適否について
　平成１４年３月５日付けで行われた訂正請求書の補正は、訂正事項を変更しており、訂正請求書の要旨を変更するものと認められるので、当該訂正請求書の補正は、特許法第１２０条の４第３項で準用する同法第１３１条第２項の規定に違反するものであり、採用しない。
　
３．訂正の要旨
　訂正事項ａ：特許請求の範囲の【請求項１】を、次のように訂正する。
「【請求項１】　開口部に取付けられる扉枠の上下両端にレールを夫々設け、上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、下レールに切欠かれた切欠き孔に挿入係止される係止片を備えると共に、扉枠に近い方の側面と扉枠とは反対側の側面とを備えた略山形状に形成され、閉じた状態で端部に位置する引き戸の下走行具が扉枠に近い方の側面を乗り越えるときの抵抗を扉枠とは反対側の側面を乗り越えるときの抵抗よりも大きくなるように設定することで、閉じた状態で端部に位置する引き戸を閉位置で仮固定し、且つこの仮固定された引き戸を開く際には下走行具がストッパー部を乗り越えて開方向に移動可能となっていることを特徴とする引き戸のはね返り防止装置。」
　訂正事項ｂ：特許請求の範囲の【請求項３】を、次のように訂正する。
「【請求項３】　開口部に取付けられる扉枠の上下両端にレールを夫々設け、上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、閉じた状態で端部に位置する引き戸を閉位置で仮固定し、且つこの仮固定された引き戸を開く際には下走行具がストッパー部を乗り越えて開方向に移動可能となっており、上方に開口した溝状の下レールのレール底面に、該レール底面を挟持する下片と上片とを備えたクリップが着脱自在に差し込まれ、クリップの上片側にストッパー部が一体に設けられていることを特徴とする引き戸のはね返り防止装置。」　
　訂正事項ｃ：明細書の段落【０００５】の記載を、次のように訂正する。
「【課題を解決するための手段】
　上記課題を解決するために、本発明は、開口部に取付けられる扉枠１の上下両端にレール２，３を夫々設け、上下のレール２，３間に３枚の引き戸４ａ〜４ｃを引き違い状に配設すると共に、各引き戸４ａ〜４ｃを引っ掛け式連動機構５により連動させて開閉できるようにし、３枚の引き戸４ａ〜４ｃのうち閉じた状態で端部に位置する引き戸４ａ又は４ｃの下端に設けた下走行具７よりも扉枠１から離れる側のレール位置に、該下走行具７に当接するストッパー部９を配設し、ストッパー部９は、下レール３に切欠かれた切欠き孔１６に挿入係止される係止片１７を備えると共に、扉枠１に近い方の側面９ａと扉枠１とは反対側の側面９ｂとを備えた略山形状に形成され、閉じた状態で端部に位置する引き戸４ａ又は４ｃの下走行具７が扉枠１に近い方の側面９ａを乗り越えるときの抵抗を扉枠１とは反対側の側面９ｂを乗り越えるときの抵抗よりも大きくなるように設定することで、閉じた状態で端部に位置する引き戸４ａ又は４ｃを閉位置で仮固定し、且つこの仮固定された引き戸４ａ又は４ｃを開く際には下走行具７が、ストッパー部９を乗り越えて開方向Ａに移動可能となっていることを特徴としており、引っ掛け式連動機構５により連動して開閉される３枚の引き戸４ａ〜４ｃのうち、中央の引き戸４ｂ以外の一方の引き戸４ａを閉じたときに、他方の引き戸４ｃが中央の引き戸４ｂで引張られても、この他方の引き戸４ｃの下走行具７はストッパー部９で仮固定されているので、閉位置にあるべき他方の引き戸４ｃが動いてしまうのを防止でき、従って、一方の引き戸４ａの閉じ操作を慎重に行わなくとも、他方の引き戸４ｃと扉枠１との間に隙間が生じるのを防止できる。しかも、ストッパー部９にて仮固定されている引き戸４ａ又は４ｃを開く際には、この引き戸４ａ又は４ｃの下走行具７がストッパー部９を乗り越えて開方向Ａに移動可能となっているので、３枚の引き戸４ａ〜４ｃを左右どちらの方向にも開閉自在とすることができる。そのうえ、引き戸４ａ又は４ｃを閉位置で仮固定する際には抵抗が大きくなり、引き戸４ａ又は４ｃと扉枠１の間に隙間が生じるのを確実に防止でき、且つ開方向に移動させた引き戸４ａ又は４ｃを閉位置に戻す際には抵抗が小さくなりスムーズに戻せるようになる。」　
　訂正事項ｄ：明細書の段落【０００８】の記載を、次のように訂正する。
「また本発明は、開口部に取付けられる扉枠１の上下両端にレール２，３を夫々設け、上下のレール２，３間に３枚の引き戸４ａ〜４ｃを引き違い状に配設すると共に、各引き戸４ａ〜４ｃを引っ掛け式連動機構５により連動させて開閉できるようにし、３枚の引き戸４ａ〜４ｃのうち閉じた状態で端部に位置する引き戸４ａ又は４ｃの下端に設けた下走行具７よりも扉枠１から離れる側のレール位置に、該下走行具７に当接するストッパー部９を配設し、ストッパー部９は、閉じた状態で端部に位置する引き戸４ａ又は４ｃを閉位置で仮固定し、且つこの仮固定された引き戸４ａ又は４ｃを開く際には下走行具７がストッパー部９を乗り越えて開方向Ａに移動可能となっており、上方に開口した溝状の下レール３のレール底面３ａに、該レール底面３ａを扶持する下片１５と上片１４とを備えたクリップ１３が着脱自在に差し込まれ、クリップ１３の上片１４例にストッパー部９が一体に設けられていることを特徴としており、このように構成することで、クリップ１３を下レール３に対してワンタッチで取付けることができ、しかも下レール３にストッパー部９を取付けるための切欠き孔等を設ける必要もなくなる。」　
　訂正事項ｅ：明細書の段落【００２２】の記載を、次のように訂正する。
「【発明の効果】
　以上説明したように、本発明のうち請求項１記載の発明は、開口部に取付けられる扉枠の上下両端にレールを夫々設け、上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、下レールのレール底面に切欠かれた切欠き孔に挿入係止される係止片を備えると共に、扉枠に近い方の側面と扉枠とは反対側の側面とを備えた略山形状に形成され、閉じた状態で端部に位置する引き戸の下走行具が扉枠に近い方の側面を乗り越えるときの抵抗を扉枠とは反対側の側面を乗り越えるときの抵抗よりも大きくなるように設定することで、閉じた状態で端部に位置する引き戸を閉位置で仮固定し、且つこの仮固定された引き戸を開く際には下走行具がストッパー部を乗り越えて開方向に移動可能となっているから、引っ掛け式連動機構により連動して開閉される３枚の引き戸を閉じる際に、例えば中央の引き戸以外の一方の引き戸を閉じると、中央の引き戸が一方の引き戸に引張られて移動するが、このとき他方の引き戸が中央の引き戸で引張られても、他方の引き戸の下走行具はストッパー部にて仮固定されているので、閉位置にあるべき他方の引き戸が動いてしまうのを防止できる。そのうえ引き戸を閉位置で仮固定する際には抵抗が大きくなり、引き戸と扉枠の間に隙間が生じるのを確実に防止でき、且つ開方向に移動させた引き戸を閉位置に戻す際には抵抗が小さくなりスムーズに戻せるようになり、開閉操作性が一層向上する。この結果、連動して開閉される３枚の引き戸のうち、中央の引き戸以外の一方の引き戸の閉じ操作を慎重に行わなくとも、他方の引き戸と扉枠との間に隙間が生じるのを防止できると共に、ストッパー部にて閉位置で仮固定されている引き戸を開く際にはこの引き戸の下走行具がストッパー部を乗り越えて開方向に移動できるようになり、３枚の引き戸の開閉操作性を向上させることができる。」　
　訂正事項ｆ：明細書の段落【００２５】の記載を、次のように訂正する。
「また請求項３記載の発明は、開口部に取付けられる扉枠の上下両端にレールを夫々設け、上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、閉じた状態で端部に位置する引き戸を閉位置で仮固定し、且つこの仮固定された引き戸を開く際には下走行具がストッパー部を乗り越えて開方向に移動可能となっているから、引っ掛け式連動機構により連動して開閉される３枚の引き戸を閉じる際に、例えば中央の引き戸以外の一方の引き戸を閉じると、中央の引き戸が一方の引き戸に引張られて移動するが、このとき他方の引き戸が中央の引き戸で引張られても、他方の引き戸の下走行具はストッパー部にて仮固定されているので、閉位置にあるべき他方の引き戸が動いてしまうのを防止できる。この結果、連動して開閉される３枚の引き戸のうち、中央の引き戸以外の一方の引き戸の閉じ操作を慎重に行わなくとも、他方の引き戸と扉枠との間に隙間が生じるのを防止できると共に、ストッパー部にて閉位置で仮固定されている引き戸を開く際にはこの引き戸の下走行具がストッパー部を乗り越えて開方向に移動できるようになり、３枚の引き戸の開閉操作性を向上させることができる。さらに上方に開口した溝状の下レールのレール底面に、該レール底面を扶持する下片と上片とを備えたクリップが着脱自在に差し込まれ、クリップの上片側にストッパー部が一体に設けられているから、クリップを下レールに対してワンタッチで取付けることができ、取付け作業が容易となり、そのうえ下レールにストッパー部を取付けるための切欠き孔等を設ける必要もないので、下レールの構造を簡略化できるものである。」　
　
４．訂正の適否
（１）訂正の目的の適否、新規事項の有無及び拡張・変更の存否
　訂正事項ｂは、特許明細書の特許請求の範囲の請求項３を、訂正前の請求項１の引用形式から独立形式に変更するため、明りょうでない記載の釈明を目的として上記のように訂正しようとするものである。
　しかしながら、訂正前の請求項１は、「開口部に取付けられる扉枠の上下両端にレールを夫々設け、上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、
扉枠に近い方の側面と扉枠とは反対側の側面とを備えた略山形状に形成され、閉じた状態で端部に位置する引き戸の下走行具が扉枠に近い方の側面を乗り越えるときの抵抗を扉枠とは反対側の側面を乗り越えるときの抵抗よりも大きくなるように設定することで、
　したがって、上記訂正は、特許法第１２０条の４第２項の規定に適合しないので、当該訂正は認められない。
　
５．異議の申立てについての判断
（１）本件発明
　特許第３１０７３７４号の請求項１に係る発明（以下、「本件発明１」という。）は、特許明細書の記載からみて、その特許請求の範囲の請求項１に記載された次の事項により特定されるとおりのものである。
「【請求項１】　開口部に取付けられる扉枠の上下両端にレールを夫々設け、
上下のレール間に３枚の引き戸を引き違い状に配設すると共に、各引き戸を引っ掛け式連動機構により連動させて開閉できるようにし、３枚の引き戸のうち閉じた状態で端部に位置する引き戸の下端に設けた下走行具よりも扉枠から離れる側のレール位置に、該下走行具に当接するストッパー部を配設し、ストッパー部は、扉枠に近い方の側面と扉枠とは反対側の側面とを備えた略山形状に形成され、閉じた状態で端部に位置する引き戸の下走行具が扉枠に近い方の側面を乗り越えるときの抵抗を扉枠とは反対側の側面を乗り越えるときの抵抗よりも大きくなるように設定することで、閉じた状態で端部に位置する引き戸を閉位置で仮固定し、且つこの仮固定された引き戸を開く際には下走行具がストッパー部を乗り越えて開方向に移動可能となっていることを特徴とする引き戸のはね返り防止装置。」
（２）引用刊行物記載の発明
　当審が先に取消理由通知において引用した、刊行物１の実願平５−３８８９９号（実開平７−４７５３号）のＣＤ−ＲＯＭ（異議申立人提出の甲第４号証）には、段落【０００７】〜【０００９】の記載及び第１、４図並びに、当業者の技術常識からみて、「開口部に取付けられる戸枠のレールに引戸を配設すると共に、閉じた状態で端部に位置する引戸の下端に取り付けられた戸車よりも戸枠から離れる側のレールの位置に、戸車が僅かに乗り上げる制動部材を配設し、制動部材は、戸枠に近い方の坂３２と戸枠と反対側の坂３１とを備えた略山形状に形成され、閉じた状態で端部に位置する引戸を閉位置で仮固定し、且つこの仮固定された引戸を開く際には戸車が制動部材の坂３２を乗り越えて開方向に移動可能となっている引戸の制動装置」が記載されている。
　同、刊行物２の特開平９−７８９３３号公報（異議申立人提出の甲第６号証）には、引戸のはねかえりを防止するため、上下少なくとも一方の縁部において引戸ガイドによりその移動がガイドされ、かつ枠等の移動阻止部によりその移動限度が規制される引戸に設けられる引戸ストッパ機構に関して、段落【００１５】〜【００１７】の記載及び図７並びに、当業者の技術常識からみて、「引戸ストッパ機構のガイド溝に固定され、引戸を枠等の移動阻止部に向かって移動させるに際し、引戸に設けた弾性板材が乗り越えるカム本体は、枠等の移動阻止部に近い方の斜面１８と、枠等の移動阻止部とは反対側の斜面１７を備えた略山形状に形成され、斜面１７は緩い傾斜とし、斜面１８は強い傾斜とした」ことが記載されている。
（３）対比・判断　
　本件発明１と、刊行物１に記載された発明とを比較すると、刊行物１に記載された発明の「戸枠」、「戸車」、「戸車が僅かに乗り上げる」、「制動部材」、「戸枠に近い方の坂３２」、「戸枠と反対側の坂３１」、「引戸の制動装置」は、それぞれ、本件発明１の「扉枠」、「下走行具」、「下走行具に当接する」、「ストッパー部」、「扉枠に近い方の側面」、「扉枠とは反対側の側面」、「引き戸のはね返り防止装置」に相当するから、両者は、開口部に取付けられる扉枠のレールに引き戸を配設すると共に、閉じた状態で端部に位置する引き戸の下端に設けた下走行具に当接するストッパー部を配設し、ストッパー部は、扉枠に近い方の側面と扉枠とは反対側の側面とを備えた略山形状に形成され、閉じた状態で端部に位置する引き戸を閉位置で仮固定し、且つこの仮固定された引き戸を開く際には下走行具がストッパー部を乗り越えて開方向に移動可能となっている引き戸のはね返り防止装置の点で一致し、下記の点で相違している。
ａ．引き戸が、本件発明１では、上下のレール間に引き違い状に配設された３枚の引き戸で、各引き戸を引っ掛け式連動機構により連動させて開閉できるようにしているのに対し、刊行物１に記載された発明では、そのような構成を有していない点。
ｂ．本件発明１では、閉じた状態で端部に位置する引き戸の下走行具が扉枠に近い方の側面を乗り越えるときの抵抗を扉枠とは反対側の側面を乗り越えるときの抵抗よりも大きくなるように設定しているのに対し、刊行物１に記載された発明では、制動部材を略山形状に形成しているが、そのような限定を有していない点。
　しかしながら、上記相違点ａにおける本件発明１のような、上下のレール間に引き違い状に配設された３枚の引き戸で、各引き戸を引っ掛け式連動機構により連動させて開閉できるようにしている引き戸は、周知技術（例えば、異議申立人提出の甲第１号証である特開平５−２３１０７１号公報、異議申立人提出の甲第２号証である実開平４−８４５５１号（実開平６−４５０５２号）のＣＤ−ＲＯＭ等参照。）にすぎず、刊行物１に記載された発明の引戸を、上記周知の引き戸とすることは、設計的事項にすぎない。
　また、相違点ｂを検討するため刊行物２をみると、刊行物２に記載された発明は、本件発明１及び刊行物１に記載された発明と同様の、引き戸のはね返り防止装置の引戸ストッパ機構に関するもので、刊行物２に記載された発明の「カム本体」、「枠等の移動阻止部」、「枠等の移動阻止部に近い方の斜面１８」、「枠等の移動阻止部とは反対側の斜面１７」は、それぞれ、本件発明１の「ストッパー部」、「扉枠」、「扉枠に近い方の側面」、「扉枠とは反対側の側面」に相当し、刊行物２に記載された発明の「引戸に設けた弾性板材」は、請求項１に係る発明の「引き戸の下走行具」に対応するから、刊行物２に記載された発明において「斜面１７は緩い傾斜とし、斜面１８は強い傾斜とした」ということは、上記相違点ｂにおける本件発明１と同様「閉じた状態で端部に位置する引き戸の下走行具が扉枠に近い方の側面を乗り越えるときの抵抗を扉枠とは反対側の側面を乗り越えるときの抵抗よりも大きくなるように設定している」こととなり、このような限定を、刊行物１に記載された発明の、略山形状の制動部材に採用することは、当業者が適宜なし得ることにすぎない。
  したがって、本件発明１は、刊行物１、２に記載された発明及び周知技術から当業者が容易に発明できたものであるから、特許法第２９条第２項の規定により特許を受けることができない。
　
（４）むすび
　以上のとおりであるから、本件発明１についての特許は、特許法第１１３条第２号に該当し、取り消されるべきものである。
　よって、結論のとおり決定する。
【異議決定日】
平成１４年３月１９日（２００２．３．１９）